(57)【特許請求の範囲】
【請求項１】
（１）座席予約受信手段により、遠隔のユーザー側からの有限個数の座席の中の或る座席の遠隔利用の申し込みが、ネットワークを介して受信され、（２）座席利用許可手段により、前記遠隔のユーザー側からの遠隔利用の申込みの受信に対応して、前記遠隔のユーザーのために前記有限個数の座席の中の或る座席の利用が許可され、これにより、前記遠隔のユーザーが映画上映、音楽演奏、演劇、オペラ、寄席、マジック・ショー、スポーツの試合などのイベントを鑑賞するために有限個数の座席の中の或る座席を利用することを可能にするための、又は、前記遠隔のユーザーが遊園地又はテーマパークの中の或る施設を利用するために前記施設に備えられた有限個数の座席の中の或る座席を利用することを可能にするための、有限個数の座席の遠隔利用システムであって、
（３）前記遠隔のユーザーのために利用が許可された座席若しくはその上方から視聴できる映像及び／又は音情報であって、「前記イベントの映像及び／又は音情報」又は「前記施設利用に関する映像及び／又は音情報」を取得するように、前記座席又はその背もたれ部分に配置され、少なくとも前記イベント若しくは前記施設利用の開始又はその前からその終了までの間、作動されるイベント等情報取得手段と、
（４）前記イベント等情報取得手段により取得された映像及び／又は音情報を略リアルタイムに前記遠隔のユーザー側に送信するためのイベント等情報送信手段と、
（５）前記遠隔のユーザー側から送信されてくる、前記遠隔のユーザーによる拍手や音声などの音情報を、少なくとも前記イベント若しくは前記施設利用の開始又はその前からその終了までの間、略リアルタイムに受信するための音情報受信手段と、
（６）前記音情報受信手段により受信された情報に基づいて、前記遠隔のユーザーのために利用が許可された座席側から、前記の遠隔のユーザーによる拍手や音声などの音情報を、略リアルタイムに出力するための音情報出力手段であって、前記座席又はその背もたれ部分に配置され、少なくとも前記イベント若しくは前記施設利用の開始又はその前からその終了までの間、作動される音情報出力手段と、
を備えたことを特徴とする、有限個数の座席の遠隔利用システム。
【請求項２】
（１）座席予約受信手段により、遠隔のユーザー側からの有限個数の座席の中の或る座席の遠隔利用の申し込みが、ネットワークを介して受信され、（２）座席利用許可手段により、前記遠隔のユーザー側からの遠隔利用の申込みの受信に対応して、前記遠隔のユーザーのために前記有限個数の座席の中の或る座席の利用が許可され、これにより、前記遠隔のユーザーが映画上映、音楽演奏、演劇、オペラ、寄席、マジック・ショー、スポーツの試合などのイベントを鑑賞するために有限個数の座席の中の或る座席を利用することを可能にするための、又は、前記遠隔のユーザーが遊園地又はテーマパークの中の或る施設を利用するために前記施設に備えられた有限個数の座席の中の或る座席を利用することを可能にするための、有限個数の座席の遠隔利用システムであって、
（３）前記遠隔のユーザーのために利用が許可された座席若しくはその上方から視聴できる映像及び／又は音情報であって、「前記イベントの映像及び／又は音情報」又は「前記施設利用に関する映像及び／又は音情報」を取得するように、前記座席又はその背もたれ部分に配置され、少なくとも前記イベント若しくは前記施設利用の開始又はその前からその終了までの間、作動されるイベント等情報取得手段と、
（４）前記イベント等情報取得手段により取得された映像及び／又は音情報を略リアルタイムに前記遠隔のユーザー側に送信するためのイベント等情報送信手段と、
（５）前記遠隔ユーザー側から送信されてくる、前記遠隔ユーザーの顔や身体の映像情報を、少なくとも前記イベント若しくは前記施設利用の開始又はその前からその終了までの間、略リアルタイムに受信するための映像情報受信手段と、
（６）前記映像情報受信手段により受信された情報に基づいて、前記座席遠隔利用許可手段により前記遠隔利用が許可された座席側から、前記の遠隔ユーザーの顔若しくは身体の略リアルタイムの映像を、略リアルタイムに出力するための表示手段であって、前記座席又はその上方に配置され、少なくとも前記イベント若しくは前記施設利用の開始又はその前からその終了までの間、作動される表示手段と、
を備えたことを特徴とする、有限個数の座席の遠隔利用システム。
【請求項３】
（１）座席予約受信手段により、遠隔のユーザー側からの有限個数の座席の中の或る座席の遠隔利用の申し込みが、ネットワークを介して受信され、（２）座席利用許可手段により、前記遠隔のユーザー側からの遠隔利用の申込みの受信に対応して、前記遠隔のユーザーのために前記有限個数の座席の中の或る座席の利用が許可され、これにより、前記遠隔のユーザーが映画上映、音楽演奏、演劇、オペラ、寄席、マジック・ショー、スポーツの試合などのイベントを鑑賞するために有限個数の座席の中の或る座席を利用することを可能にするための、又は、前記遠隔のユーザーが遊園地又はテーマパークの中の或る施設を利用するために前記施設に備えられた有限個数の座席の中の或る座席を利用することを可能にするための、有限個数の座席の遠隔利用システムであって、
（３）前記遠隔のユーザーのために利用が許可された座席若しくはその上方から視聴できる映像及び／又は音情報であって、「前記イベントの映像及び／又は音情報」又は「前記施設利用に関する映像及び／又は音情報」を取得するように、前記座席又はその背もたれ部分に配置され、少なくとも前記イベント若しくは前記施設利用の開始又はその前からその終了までの間、作動されるイベント等情報取得手段と、
（４）前記イベント等情報取得手段により取得された映像及び／又は音情報を略リアルタイムに前記遠隔のユーザー側に送信するためのイベント等情報送信手段と、
（５）前記遠隔ユーザー側から送信されてくる、後述の手振り動作出力手段によって拍手の動作若しくは手を振る動作又はこれらと類似する動作をさせるための情報を、少なくとも前記イベント若しくは前記施設利用の開始又はその前からその終了までの間、略リアルタイムに受信するための動作情報受信手段と、
（６）前記動作情報受信手段により受信された情報に基づいて、前記座席遠隔利用許可手段により前記遠隔利用が許可された座席側から、前記の拍手の動作若しくは手を振る動作又はこれらと類似する動作を、略リアルタイムに出力するための「ハンド部を含む手振り動作出力手段」であって、前記座席又はその上方に配置され、少なくとも前記イベント若しくは前記施設利用の開始又はその前からその終了までの間、作動される手振り動作出力手段と、
を備えたことを特徴とする、有限個数の座席の遠隔利用システム。
【請求項４】
（１）座席予約受信手段が、遠隔のユーザー側からの有限個数の座席の中の或る座席の遠隔利用の申し込みを、ネットワークを介して受信し、（２）座席利用許可手段が、前記遠隔のユーザー側からの申込みの受信に対応して、前記遠隔のユーザーのために前記有限個数の座席の中の或る座席の利用を許可し、これにより、前記遠隔のユーザーが映画上映、音楽演奏、演劇、オペラ、寄席、マジック・ショー、スポーツの試合などのイベントを鑑賞するために有限個数の座席の中の或る座席を利用することを可能にするための、又は、前記遠隔のユーザーが遊園地又はテーマパークの中の或る施設を利用するために前記施設に備えられた有限個数の座席の中の或る座席を利用することを可能にするための、有限個数の座席の遠隔利用方法であって、
（３）前記座席又はその背もたれ部分に配置されたイベント等情報取得手段が、少なくとも前記イベント若しくは前記施設利用の開始又はその前からその終了までの間、前記遠隔のユーザーのために利用が許可された座席若しくはその上方から視聴できる映像及び／又は音情報であって、「前記イベントの映像及び／又は音情報」又は「前記施設利用に関する映像及び／又は音情報」を取得する映像等取得ステップと、
（４）前記取得された映像及び／又は音情報を略リアルタイムに前記遠隔のユーザー側に送信する映像等送信ステップと、
（５）前記遠隔のユーザー側から送信されてくる、前記遠隔のユーザーによる拍手や音声などの音情報を、少なくとも前記イベント若しくは前記施設利用の開始又はその前からその終了までの間、略リアルタイムに受信する音情報受信ステップと、
（６）前記音情報受信ステップにおいて受信された情報に基づいて、前記座席又はその背もたれ部分に配置された音情報出力手段が、少なくとも前記イベント若しくは前記施設利用の開始又はその前からその終了までの間、前記遠隔のユーザーのために利用が許可された座席側から、前記の遠隔のユーザー側からの拍手や音声などの音情報を、略リアルタイムに出力する音情報出力ステップと、
を含むことを特徴とする、有限個数の座席の遠隔利用方法。
【請求項５】
（１）座席予約受信手段が、遠隔のユーザー側からの有限個数の座席の中の或る座席の遠隔利用の申し込みを、ネットワークを介して受信し、（２）座席利用許可手段が、前記遠隔のユーザー側からの申込みの受信に対応して、前記遠隔のユーザーのために前記有限個数の座席の中の或る座席の利用を許可し、これにより、前記遠隔のユーザーが映画上映、音楽演奏、演劇、オペラ、寄席、マジック・ショー、スポーツの試合などのイベントを鑑賞するために有限個数の座席の中の或る座席を利用することを可能にするための、又は、前記遠隔のユーザーが遊園地又はテーマパークの中の或る施設を利用するために前記施設に備えられた有限個数の座席の中の或る座席を利用することを可能にするための、有限個数の座席の遠隔利用方法であって、
（３）前記座席又はその背もたれ部分に配置されたイベント等情報取得手段が、少なくとも前記イベント若しくは前記施設利用の開始又はその前からその終了までの間、前記遠隔のユーザーのために利用が許可された座席若しくはその上方から視聴できる映像及び／又は音情報であって、「前記イベントの映像及び／又は音情報」又は「前記施設利用に関する映像及び／又は音情報」を取得する映像等取得ステップと、
（４）前記取得された映像及び／又は音情報を略リアルタイムに前記遠隔のユーザー側に送信する映像等送信ステップと、
（５）前記遠隔ユーザー側から送信されてくる、前記遠隔ユーザーの顔や身体の映像情報を、少なくとも前記イベント若しくは前記施設利用の開始又はその前からその終了までの間、略リアルタイムに受信する映像情報受信ステップと、
（６）前記映像情報受信ステップにおいて受信された情報に基づいて、前記座席又はその上方に配置されている表示手段が、少なくとも前記イベント若しくは前記施設利用の開始又はその前からその終了までの間、前記座席遠隔利用許可手段により前記遠隔利用が許可された座席側から、前記の遠隔ユーザーの顔若しくは身体の略リアルタイムの映像を、略リアルタイムに出力する表示ステップと、
を含むことを特徴とする、有限個数の座席の遠隔利用方法。
【請求項６】
（１）座席予約受信手段が、遠隔のユーザー側からの有限個数の座席の中の或る座席の遠隔利用の申し込みを、ネットワークを介して受信し、（２）座席利用許可手段が、前記遠隔のユーザー側からの申込みの受信に対応して、前記遠隔のユーザーのために前記有限個数の座席の中の或る座席の利用を許可し、これにより、前記遠隔のユーザーが映画上映、音楽演奏、演劇、オペラ、寄席、マジック・ショー、スポーツの試合などのイベントを鑑賞するために有限個数の座席の中の或る座席を利用することを可能にするための、又は、前記遠隔のユーザーが遊園地又はテーマパークの中の或る施設を利用するために前記施設に備えられた有限個数の座席の中の或る座席を利用することを可能にするための、有限個数の座席の遠隔利用方法であって、
（３）前記座席又はその背もたれ部分に配置されたイベント等情報取得手段が、少なくとも前記イベント若しくは前記施設利用の開始又はその前からその終了までの間、前記遠隔のユーザーのために利用が許可された座席若しくはその上方から視聴できる映像及び／又は音情報であって、「前記イベントの映像及び／又は音情報」又は「前記施設利用に関する映像及び／又は音情報」を取得する映像等取得ステップと、
（４）前記取得された映像及び／又は音情報を略リアルタイムに前記遠隔のユーザー側に送信する映像等送信ステップと、
（５）前記遠隔ユーザー側から送信されてくる、後述の手振り動作出力手段によって拍手の動作若しくは手を振る動作又はこれらと類似する動作をさせるための情報を、少なくとも前記イベント若しくは前記施設利用の開始又はその前からその終了までの間、略リアルタイムに受信する動作情報受信ステップと、
（６）前記動作情報受信ステップにおいて受信された情報に基づいて、前記座席又はその上方に配置された「ハンド部を含む手振り動作出力手段」が、少なくとも前記イベント若しくは前記施設利用の開始又はその前からその終了までの間、前記座席遠隔利用許可手段により前記遠隔利用が許可された座席側から、前記の拍手の動作若しくは手を振る動作又はこれらと類似する動作を、略リアルタイムに出力する手振り動作出力ステップと、
を備えたことを特徴とする、有限個数の座席の遠隔利用方法。
【発明の詳細な説明】
【０００１】
【発明の属する技術分野】
本発明は、遠隔の地からイベントや遊園地などの利用を行うことを可能にするための方法及び装置に関する。
【０００２】
【従来の技術】
従来より、ユーザーが、遠隔の美術館や古代遺跡や運動競技などを鑑賞するというアイデアは提案されている。例えば、特開平８−２２８３３９号公報は、遠隔操縦型無人小型列車にカメラを備え付けることにより、美術館や博物館などを遠隔鑑賞するシステムを提案している。また、特開平９−５１５２５号公報は、小型のカメラ列車を使用して美術館、博物館、有名建築物、商品展示場、及び運動競技場などを映像により遠隔鑑賞するシステムを提案している。さらに、特開平９−１１６８９６号公報は、映像伝送による遠隔テーマパークの鑑賞サービスや遠隔ウインドウショッピングを可能にするシステムを提案している。また、特開昭６１−４３３７５号公報では、ディスプレイシステムで競馬などの投票券を購入することができ、且つそのレース中継も見られるようなシステムを設けることにより、投票券の購入が簡単に行えると共に、その場でレース中継等を観戦できるサービスを小規模な施設でも提供できるようにした投票申込システムを提案している。
【０００３】
【発明が解決しようとする課題】
しかしながら、これらの従来の技術は、いずれも、ユーザーが利用できる座席が有限個数しかない場合に、「遠隔のユーザーによる利用」をどのような方法又はシステムで認めるかという問題については、全く言及も示唆もしていない。本発明はこのような従来は全く言及も示唆もされていない、利用できる座席の個数が限られている施設を遠隔から利用する場合に適した方法及び装置を提供することを目的とする。
【０００４】
【課題を解決するための手段】
本発明が問題としている、ユーザーが利用できる座席の数が限られている場合とは、その座席個数を有限とすることにより、その座席の価値を高め、その座席の予約又は購入による収入により、イベントや遊園地などが商業的に経営が成り立つようにしている場合である。このような施設において、もし、遠隔のユーザーが自由にアクセスして鑑賞できるとすれば、その座席の価値が減少してしまい、そのイベントの主催者や遊園地の運営者の経営が成り立たなくなるという危険がある。
【０００５】
もちろん、従来から、イベントが行われる場合に、イベントの情景をテレビで実況中継して遠隔地の多数の人が無料が鑑賞することも行われている。しかし、このような場合は、テレビ局から多額の放映権料が前記の主催者や運営者に支払われているので、それらの主催者や運営者の経営としては合理的である。
【０００６】
また、一つの案としては、遠隔からアクセスして鑑賞又は利用するユーザーの数は無限に認めるとした上で、そのアクセスを有料とすることにより、施設の収益を確保する方法もある。しかし、そのように無限にアクセスを認めると、施設内の座席の価値が無制限に減少してしまうので、客がイベントの会場まで足を運ぼうとするインセンティブが損なわれてしまうという問題がある。
【０００７】
さらに、他の案としては、遠隔からアクセスして鑑賞又は利用するの数を全体として有限にして、しかも、アクセス料を取るようにする方法もある。しかしながら、アクセスを許すユーザーの数を有限にしても、かなり数が多くなると、やはり前述のような問題（会場の座席の価値が低減して、会場にまで足を運ぼうとするインセンティブが損なわれるという問題）が生じる。
【０００８】
そこで、本発明では、座席が有限個数の場合は、その座席毎に遠隔のユーザーのアクセスを認めることにより、上記の問題の解決を図るものである。すなわち、有限個数の座席の利用に関しては、実際に会場まで足を運ぶ客と遠隔からアクセスして鑑賞・利用しようとするユーザーとを、全く同列に扱うことにより、前記のような問題の解決を図るものである。すなわち、本発明は、遠隔のユーザーを受け入れる場合でも、「今のこのイベントを鑑賞しているのは世界中で唯この１００人（座席の数が１００個の場合）だけだ」という座席の価値をそのまま維持できる方法を提供するものである。また、本発明は、遠隔のユーザーにも、実際に会場に足を運んでいる客とできるだけ同じ扱いをすることにより、遠隔のユーザーに実際に会場に足を運んでいる場合と同じような雰囲気を味わうことを可能にするための方法を提供するものである。
【０００９】
また、例えば、日本人が「イタリアの或る歌劇場で行われるオペラを見たい」とか「ニューヨークの或る劇場で行われるミュージカルが見たい」とか「カリフォルニアの或るテーマパークの中のジェットコースターに乗りたい」という希望を有している場合に、従来は日本から外国のその劇場や遊園地までわざわざ行く必要があった。しかし、そのための移動コストや移動時間は極めて大きいため、容易に行くことはできない。そこで本発明は、このような場合に、移動のための様々なコストを無くして遠隔の地から容易にイベントや遊園地を楽しむことができるための方法を提供するものである。
【００１０】
本明細書で提案する発明の内容は次のとおりである。
１．（１）座席予約受信手段により、遠隔のユーザー側からの有限個数の座席の中の或る座席の遠隔利用の申し込みが、ネットワークを介して受信され、（２）座席利用許可手段により、前記遠隔のユーザー側からの遠隔利用の申込みの受信に対応して、前記遠隔のユーザーのために前記有限個数の座席の中の或る座席の利用が許可され、これにより、前記遠隔のユーザーが映画上映、音楽演奏、演劇、オペラ、寄席、マジック・ショー、スポーツの試合などのイベントを鑑賞するために有限個数の座席の中の或る座席を利用することを可能にするための、又は、前記遠隔のユーザーが遊園地又はテーマパークの中の或る施設を利用するために前記施設に備えられた有限個数の座席の中の或る座席を利用することを可能にするための、有限個数の座席の遠隔利用システムであって、（３）前記遠隔のユーザーのために利用が許可された座席若しくはその上方から視聴できる映像及び／又は音情報であって、「前記イベントの映像及び／又は音情報」又は「前記施設利用に関する映像及び／又は音情報」を取得するように、前記座席又はその背もたれ部分に配置され、少なくとも前記イベント若しくは前記施設利用の開始又はその前からその終了までの間、作動されるイベント等情報取得手段と、（４）前記イベント等情報取得手段により取得された映像及び／又は音情報を略リアルタイムに前記遠隔のユーザー側に送信するためのイベント等情報送信手段と、（５）前記遠隔のユーザー側から送信されてくる、前記遠隔のユーザーによる拍手や音声などの音情報を、少なくとも前記イベント若しくは前記施設利用の開始又はその前からその終了までの間、略リアルタイムに受信するための音情報受信手段と、（６）前記音情報受信手段により受信された情報に基づいて、前記遠隔のユーザーのために利用が許可された座席側から、前記の遠隔のユーザーによる拍手や音声などの音情報を、略リアルタイムに出力するための音情報出力手段であって、前記座席又はその背もたれ部分に配置され、少なくとも前記イベント若しくは前記施設利用の開始又はその前からその終了までの間、作動される音情報出力手段と、を備えたことを特徴とする、有限個数の座席の遠隔利用システム。
２．（１）座席予約受信手段により、遠隔のユーザー側からの有限個数の座席の中の或る座席の遠隔利用の申し込みが、ネットワークを介して受信され、（２）座席利用許可手段により、前記遠隔のユーザー側からの遠隔利用の申込みの受信に対応して、前記遠隔のユーザーのために前記有限個数の座席の中の或る座席の利用が許可され、これにより、前記遠隔のユーザーが映画上映、音楽演奏、演劇、オペラ、寄席、マジック・ショー、スポーツの試合などのイベントを鑑賞するために有限個数の座席の中の或る座席を利用することを可能にするための、又は、前記遠隔のユーザーが遊園地又はテーマパークの中の或る施設を利用するために前記施設に備えられた有限個数の座席の中の或る座席を利用することを可能にするための、有限個数の座席の遠隔利用システムであって、（３）前記遠隔のユーザーのために利用が許可された座席若しくはその上方から視聴できる映像及び／又は音情報であって、「前記イベントの映像及び／又は音情報」又は「前記施設利用に関する映像及び／又は音情報」を取得するように、前記座席又はその背もたれ部分に配置され、少なくとも前記イベント若しくは前記施設利用の開始又はその前からその終了までの間、作動されるイベント等情報取得手段と、（４）前記イベント等情報取得手段により取得された映像及び／又は音情報を略リアルタイムに前記遠隔のユーザー側に送信するためのイベント等情報送信手段と、（５）前記遠隔ユーザー側から送信されてくる、前記遠隔ユーザーの顔や身体の映像情報を、少なくとも前記イベント若しくは前記施設利用の開始又はその前からその終了までの間、略リアルタイムに受信するための映像情報受信手段と、（６）前記映像情報受信手段により受信された情報に基づいて、前記座席遠隔利用許可手段により前記遠隔利用が許可された座席側から、前記の遠隔ユーザーの顔若しくは身体の略リアルタイムの映像を、略リアルタイムに出力するための表示手段であって、前記座席又はその上方に配置され、少なくとも前記イベント若しくは前記施設利用の開始又はその前からその終了までの間、作動される表示手段と、を備えたことを特徴とする、有限個数の座席の遠隔利用システム。
３．（１）座席予約受信手段により、遠隔のユーザー側からの有限個数の座席の中の或る座席の遠隔利用の申し込みが、ネットワークを介して受信され、（２）座席利用許可手段により、前記遠隔のユーザー側からの遠隔利用の申込みの受信に対応して、前記遠隔のユーザーのために前記有限個数の座席の中の或る座席の利用が許可され、これにより、前記遠隔のユーザーが映画上映、音楽演奏、演劇、オペラ、寄席、マジック・ショー、スポーツの試合などのイベントを鑑賞するために有限個数の座席の中の或る座席を利用することを可能にするための、又は、前記遠隔のユーザーが遊園地又はテーマパークの中の或る施設を利用するために前記施設に備えられた有限個数の座席の中の或る座席を利用することを可能にするための、有限個数の座席の遠隔利用システムであって、（３）前記遠隔のユーザーのために利用が許可された座席若しくはその上方から視聴できる映像及び／又は音情報であって、「前記イベントの映像及び／又は音情報」又は「前記施設利用に関する映像及び／又は音情報」を取得するように、前記座席又はその背もたれ部分に配置され、少なくとも前記イベント若しくは前記施設利用の開始又はその前からその終了までの間、作動されるイベント等情報取得手段と、（４）前記イベント等情報取得手段により取得された映像及び／又は音情報を略リアルタイムに前記遠隔のユーザー側に送信するためのイベント等情報送信手段と、（５）前記遠隔ユーザー側から送信されてくる、後述の手振り動作出力手段によって拍手の動作若しくは手を振る動作又はこれらと類似する動作をさせるための情報を、少なくとも前記イベント若しくは前記施設利用の開始又はその前からその終了までの間、略リアルタイムに受信するための動作情報受信手段と、（６）前記動作情報受信手段により受信された情報に基づいて、前記座席遠隔利用許可手段により前記遠隔利用が許可された座席側から、前記の拍手の動作若しくは手を振る動作又はこれらと類似する動作を、略リアルタイムに出力するための「ハンド部を含む手振り動作出力手段」であって、前記座席又はその上方に配置され、少なくとも前記イベント若しくは前記施設利用の開始又はその前からその終了までの間、作動される手振り動作出力手段と、を備えたことを特徴とする、有限個数の座席の遠隔利用システム。
４．（１）座席予約受信手段が、遠隔のユーザー側からの有限個数の座席の中の或る座席の遠隔利用の申し込みを、ネットワークを介して受信し、（２）座席利用許可手段が、前記遠隔のユーザー側からの申込みの受信に対応して、前記遠隔のユーザーのために前記有限個数の座席の中の或る座席の利用を許可し、これにより、前記遠隔のユーザーが映画上映、音楽演奏、演劇、オペラ、寄席、マジック・ショー、スポーツの試合などのイベントを鑑賞するために有限個数の座席の中の或る座席を利用することを可能にするための、又は、前記遠隔のユーザーが遊園地又はテーマパークの中の或る施設を利用するために前記施設に備えられた有限個数の座席の中の或る座席を利用することを可能にするための、有限個数の座席の遠隔利用方法であって、（３）前記座席又はその背もたれ部分に配置されたイベント等情報取得手段が、少なくとも前記イベント若しくは前記施設利用の開始又はその前からその終了までの間、前記遠隔のユーザーのために利用が許可された座席若しくはその上方から視聴できる映像及び／又は音情報であって、「前記イベントの映像及び／又は音情報」又は「前記施設利用に関する映像及び／又は音情報」を取得する映像等取得ステップと、（４）前記取得された映像及び／又は音情報を略リアルタイムに前記遠隔のユーザー側に送信する映像等送信ステップと、（５）前記遠隔のユーザー側から送信されてくる、前記遠隔のユーザーによる拍手や音声などの音情報を、少なくとも前記イベント若しくは前記施設利用の開始又はその前からその終了までの間、略リアルタイムに受信する音情報受信ステップと、（６）前記音情報受信ステップにおいて受信された情報に基づいて、前記座席又はその背もたれ部分に配置された音情報出力手段が、少なくとも前記イベント若しくは前記施設利用の開始又はその前からその終了までの間、前記遠隔のユーザーのために利用が許可された座席側から、前記の遠隔のユーザー側からの拍手や音声などの音情報を、略リアルタイムに出力する音情報出力ステップと、を含むことを特徴とする、有限個数の座席の遠隔利用方法。
５．（１）座席予約受信手段が、遠隔のユーザー側からの有限個数の座席の中の或る座席の遠隔利用の申し込みを、ネットワークを介して受信し、（２）座席利用許可手段が、前記遠隔のユーザー側からの申込みの受信に対応して、前記遠隔のユーザーのために前記有限個数の座席の中の或る座席の利用を許可し、これにより、前記遠隔のユーザーが映画上映、音楽演奏、演劇、オペラ、寄席、マジック・ショー、スポーツの試合などのイベントを鑑賞するために有限個数の座席の中の或る座席を利用することを可能にするための、又は、前記遠隔のユーザーが遊園地又はテーマパークの中の或る施設を利用するために前記施設に備えられた有限個数の座席の中の或る座席を利用することを可能にするための、有限個数の座席の遠隔利用方法であって、（３）前記座席又はその背もたれ部分に配置されたイベント等情報取得手段が、少なくとも前記イベント若しくは前記施設利用の開始又はその前からその終了までの間、前記遠隔のユーザーのために利用が許可された座席若しくはその上方から視聴できる映像及び／又は音情報であって、「前記イベントの映像及び／又は音情報」又は「前記施設利用に関する映像及び／又は音情報」を取得する映像等取得ステップと、（４）前記取得された映像及び／又は音情報を略リアルタイムに前記遠隔のユーザー側に送信する映像等送信ステップと、（５）前記遠隔ユーザー側から送信されてくる、前記遠隔ユーザーの顔や身体の映像情報を、少なくとも前記イベント若しくは前記施設利用の開始又はその前からその終了までの間、略リアルタイムに受信する映像情報受信ステップと、（６）前記映像情報受信ステップにおいて受信された情報に基づいて、前記座席又はその上方に配置されている表示手段が、少なくとも前記イベント若しくは前記施設利用の開始又はその前からその終了までの間、前記座席遠隔利用許可手段により前記遠隔利用が許可された座席側から、前記の遠隔ユーザーの顔若しくは身体の略リアルタイムの映像を、略リアルタイムに出力する表示ステップと、を含むことを特徴とする、有限個数の座席の遠隔利用方法。
６．（１）座席予約受信手段が、遠隔のユーザー側からの有限個数の座席の中の或る座席の遠隔利用の申し込みを、ネットワークを介して受信し、（２）座席利用許可手段が、前記遠隔のユーザー側からの申込みの受信に対応して、前記遠隔のユーザーのために前記有限個数の座席の中の或る座席の利用を許可し、これにより、前記遠隔のユーザーが映画上映、音楽演奏、演劇、オペラ、寄席、マジック・ショー、スポーツの試合などのイベントを鑑賞するために有限個数の座席の中の或る座席を利用することを可能にするための、又は、前記遠隔のユーザーが遊園地又はテーマパークの中の或る施設を利用するために前記施設に備えられた有限個数の座席の中の或る座席を利用することを可能にするための、有限個数の座席の遠隔利用方法であって、（３）前記座席又はその背もたれ部分に配置されたイベント等情報取得手段が、少なくとも前記イベント若しくは前記施設利用の開始又はその前からその終了までの間、前記遠隔のユーザーのために利用が許可された座席若しくはその上方から視聴できる映像及び／又は音情報であって、「前記イベントの映像及び／又は音情報」又は「前記施設利用に関する映像及び／又は音情報」を取得する映像等取得ステップと、（４）前記取得された映像及び／又は音情報を略リアルタイムに前記遠隔のユーザー側に送信する映像等送信ステップと、（５）前記遠隔ユーザー側から送信されてくる、後述の手振り動作出力手段によって拍手の動作若しくは手を振る動作又はこれらと類似する動作をさせるための情報を、少なくとも前記イベント若しくは前記施設利用の開始又はその前からその終了までの間、略リアルタイムに受信する動作情報受信ステップと、（６）前記動作情報受信ステップにおいて受信された情報に基づいて、前記座席又はその上方に配置された「ハンド部を含む手振り動作出力手段」が、少なくとも前記イベント若しくは前記施設利用の開始又はその前からその終了までの間、前記座席遠隔利用許可手段により前記遠隔利用が許可された座席側から、前記の拍手の動作若しくは手を振る動作又はこれらと類似する動作を、略リアルタイムに出力する手振り動作出力ステップと、
を備えたことを特徴とする、有限個数の座席の遠隔利用方法。
【００１１】
なお、本発明において、前記映像取得手段は、前記座席の上に通常人が座った場合の目の高さとほぼ同一の高さに配置されている、ことが望ましい。また、前記座席の上に配置された音情報出力手段であって、遠隔のユーザーからの音声を出力できる音情報出力手段は、前記イベント又は施設利用の開始と同時に又はその少し前から駆動させることが望ましい。また、個々の遠隔のユーザーについて、前記スピーカの利用を許可するかどうかを判定すること、及び、この判定で利用を許可した場合にのみ前記音情報出力手段を使用可能とすること、が望ましい。また、前記座席の上に配置された表示手段であって遠隔のユーザーからの映像を出力できる表示手段を、前記イベント又は施設利用の開始と同時に又はその少し前から駆動させること、が望ましい。また、個々の遠隔のユーザーについて、前記表示手段の利用を許可するかどうかを判定すること、及び、この判定で利用を許可した場合にのみ前記表示手段を使用可能とすること、が望ましい。さらに、前記映像取得手段が取得した映像を略リアルタイムにユーザー側に届けるときは、前記座席の申込みをしたそのユーザーのみが見れるようにすることが望ましい。
【００１２】
【発明の実施の形態】
実施形態１．  以下、図１及び図２を参照して本発明の実施形態１を説明する。図１において、１，２は、例えばミュージカル専用の劇場に備えられた座席である。この座席１，２には、通常は、事前にその座席を予約して、当日の開演時間前にその劇場まで実際に足を運んで来た客が座るものである。また、図３は劇場の従業員が、遠隔ユーザーが予約した座席２の上に予め配置しておくロボットである。このロボット３には、人間の顔に相当する部分の両側方に、それぞれ、ＣＣＤカメラ４ａ，４ｂとマイク５ａ，５ｂが備えられている。また、前記ロボット３には、人間の顔に相当する部分の中央部に、画面表示部６が備えられると共に、その下方にスピーカ７が備えられている。また、前記ロボット３には、人間の胴体に相当する部分の両側方から、人間の手に相当するハンド部８ａ，８ｂが突設されている。
【００１３】
前記のＣＣＤカメラ４ａ，４ｂは、劇場のミュージカルの情景を撮像し、リアルタイムに遠隔ユーザーに伝送するためのものである。また、前記マイク５ａ，５ｂは、劇場内の音声や音響を収集してリアルタイムに遠隔のユーザーに伝送するためのものである。前記画面表示部６は、遠隔のユーザーの顔などをリアルタイムに表示するためのものである。また、前記スピーカ７は、遠隔のユーザーが発した音声や遠隔のユーザーが手を叩いて拍手したときの拍手の音響を、リアルタイムに出力するためものである。さらに、前記ハンド部８ａ，８ｂは、遠隔のユーザーの遠隔操縦により、ミュージカルやコンサートの進行に合わせて拍手をしたり手を振るなどの動作をリアルタイムに行わせるためのものである。
【００１４】
次に、図２のフローチャートを参照して、本実施形態による動作を説明する。本実施形態においては、遠隔のユーザーが図１に示す座席１，２の中の座席２を事前に予約する場合を想定して説明する。まず、ユーザーは、インターネットなどの通信ネットワークを使用して、その劇場が開いているホームページにアクセスして、目的とするミュージカルの座席予約のための画面を表示させる（ステップＳ１）。そして、ユーザーは、その画面を見ながら、まだ予約されていない座席の中から自分が希望する位置の座席を選択して、通信ネットワークを介して予約する（ステップＳ２）。ユーザーは、この予約に当たって、必要なら、予約のための料金の支払いをクレジットカード決済などで行う。また、ユーザーは、この予約のときに、単に目的のミュージカルの映像と音声・音響の伝送を希望するだけか、それとも、スピーカー、ディスプレー、及びハンド部を使用したアクションを行う権利を行使することをも希望する（申込みをする）かを、送信しておく。また、前記遠隔のユーザーは、スピーカー、ディスプレー、及びハンド部を使用したアクションを行う権利を行使することの申込みをするとき、自己の会員番号をも劇場側に送信しておく。
【００１５】
前記の予約が有効に行われた場合、劇場側のコンピュータシステムは、前記ユーザーがスピーカー、ディスプレー、及びハンド部を使用する資格があるかどうかを判定する（ステップＳ４）。この判定は、ユーザーの会員番号から、会員データベースを検索してユーザーの信用性に関する情報を検討することにより、行う。すなわち、今までこの劇場を利用した実績が多くあり、しかも、今までの利用において良好又は適切な態度で利用していた場合は、スピーカー、ディスプレー、及びハンド部の使用を許可すると判定する。しかし、今までこの劇場を利用した実績が少ない場合や、今までの利用において不適切な態度で利用していたと記録されている場合は、スピーカー、ディスプレー、及びハンド部の使用を許可しないと判定する（ステップＳ５）。そして、使用を許可すると判定された場合は、ユーザーにその旨を通知する（ステップＳ６）。また、使用を許可しないと判定された場合はその旨を通知する（ステップＳ９）。
【００１６】
次に、前記劇場側は、前記のミュージカルが行われる当日の朝などの開演前の適当な時刻に、予め、その予約された座席に、図１に示すようなロボット３を載置しておく（ステップＳ７及びステップＳ１０）。このロボット３の搬送及び載置は、劇場側が保有する搬送用機械により自動的に行ってもよいし、劇場側の従業員が手で行ってもよい。そして、前記のスピーカー、ディスプレー、及びハンド部の使用を許可された遠隔ユーザーに対しては、前記ミュージカルの開演直前から、カメラからの映像とマイクロホンからの音声・音響をリアルタイムに伝送すると共に、遠隔のユーザーからのスピーカー、ディスプレー、及びハンド部の使用（遠隔操縦）を受け付ける（ステップＳ８）。また、前記のスピーカー、ディスプレー、及びハンド部の使用を許可されなかった遠隔ユーザーに対しては、前記ミュージカルの開演直前から、カメラからの映像とマイクロホンからの音声・音響をリアルタイムに伝送する（ステップＳ１１）。遠隔のユーザーは、前記カメラを遠隔操縦して、カメラのズーム倍率を変更したりカメラアングルを変更することができる。
【００１７】
前記のスピーカー、ディスプレー、及びハンド部の使用（遠隔操縦）を許可された遠隔ユーザーは、ミュージカルの進行や演奏会の進行に合わせて、自分の拍手や歓声を前記スピーカーから出力させることができる。また、前記の遠隔ユーザーは、自らの顔や全身を、前記ディスプレーに映し出して、身振りなどを出力させることができる。さらに、前記の遠隔ユーザーは、前記ハンド部を遠隔操縦して、ミュージカルの進行や演奏会の進行に合わせて、ハンド部に拍手の動作や手を振るなどの動作を行わせることができる。
【００１８】
実施形態２．  次に、本発明の実施形態２を図３に基づいて説明する。本実施形態では、ミュージカル専用劇場の座席１１，１２の上方の頭部保持部１１ａ，１２ａが上下に昇降できるようになっており、この頭部保持部１１ａ，１２ａの下方に、カメラ１４ａ，１４ｂと、マイク１５ａ，１５ｂと、ディスプレー１６と、スピーカー１７とが、備えられている。これらのカメラ１４ａ，１４ｂと、マイク１５ａ，１５ｂと、ディスプレー１６と、スピーカー１７とは、使用しないときは、頭部保持部１１ａ，１２ａの下方の座席１１，１２の中に収納された状態になっている。以上の構成以外では、この実施形態２は前述の実施形態１と同様であるので、説明を省略する。
【００１９】
実施形態３．  次に、本発明の実施形態３を説明する。この実施形態３では、ミュージカル専用劇場側が、予め、遠隔地の会員となったユーザーに、遠隔ユーザー専用のディスプレーとして、公知のヘッドマウントディスプレー（ＨＭＤ）を貸与しておく。このヘッドマウントディスプレーは、一人一人しか使用できない。また、前記劇場側から遠隔ユーザーに送信するミュージカルなどの映像は暗号化されており、このヘッドマウントディスプレーに備えられた独自の解読用回路（又は解読用ソフトウェア）を介さないと解読できないようになっている。
【００２０】
したがって、本実施形態によれば、遠隔のユーザーにミュージカルなどの映像を送信する場合に、受信する側が「座席一人分の価格」で複数人が利用・鑑賞するという不正を防止することができるようになる。すなわち、遠隔のユーザーが通常の据置型ディスプレーで映像を見る場合は、その家族や友人なども一緒に見ることになる可能性がある。その場合は、遠隔のユーザーは「座席一人分の価格」しか支払っていないのに、複数人が利用することを許してしまえことになり、実際に会場まで足を運んで鑑賞する観客との間に不公平が生じることになる（会場にまで足を運んでくる観客は、家族でも一人ずつ座席の料金を支払う）。そこで、本実施形態では、前記のヘッドマウントディスプレーを介してのみ、ミュージカルなどの映像を受け取ることができるようにして、遠隔のユーザーの一人のみに鑑賞することを許すようにしている。
【００２１】
実施形態４．  次に、本発明の実施形態４を図４及び図５に基づいて説明する。本実施形態４では、予め。遠隔のユーザー側に、図４（Ａ）に示すような、前記ミュージカル劇場などの映像を受け取るための専用のコンピュータ端末を、配っておく。図４（Ａ）はこのコンピュータ端末を示す図で、２２はディスプレー、２６は液晶シャッタ付きメガネ、２６ａは液晶シャッタである。遠隔のユーザーは、前記メガネ２６を掛けることによってのみ、前記のミュージカルなどの映像を見ることができる。その仕組みは次のとおりである。
【００２２】
図４のフローチャートに示すように、劇場側では、開演前のミュージカルなどの映像を送信する前に、遠隔のユーザー側の前記コンピュータ端末に、独自の液晶シャッタ開閉タイミングデータを送信する。コンピュータ端末では、この受信したタイミングデータを記録しておく。次に、劇場側は、ミュージカルなどが開演されたら、リアルタイムにその情景を写す映像を送信するが、その送信データには、ダミー映像が所定のタイミングで挿入されている。前記液晶シャッタ２６ａは、前記の記録された液晶シャッタ開閉タイミングデータに基づいて、所定のタイミングで液晶シャッタ２６ａを開閉する。この開閉のタイミングは、前記ダミー映像が表示されたときだけ、液晶シャッタ２６ａを閉じるようにし、それ以外は開くようにするものである。これにより、例えば、図４（Ｂ）の（ａ）に示すような目的映像（ミュージカルの情景を写す映像）とダミー映像（ミュージカルの情景とは関係のない映像）が交互に送信され表示される場合でも、ダミー映像のみは液晶シャッタ２６ａの動作（図４（Ｂ）の（ｂ）参照）により遠隔ユーザーの目には届かない。したがって、目の残像現象により、遠隔ユーザーにはミュージカルの映像のみが自然に見れるようになる。他方、前記の液晶シャッタ付きメガネ２６を掛けた遠隔ユーザー以外の人（家族や友人など）は、前記のディスプレー２２に表示された映像を見ても、ミュージカル映像とダミー映像とが混然とした意味不明の映像しか見えないことになる。したがって、本実施形態によれば、前記の液晶シャッタ付きメガネ２６を掛けた遠隔ユーザーのみがミュージカルなどの映像を鑑賞できることになる。よって、「座席一人分の料金」を支払うことによって遠隔から鑑賞できるユーザーは「一人のみ」となり、遠隔から利用することにより「一人分の座席料金で複数人が利用する」という不公正を防ぐことが可能になる。
【００２３】
実施形態５．  次に、本発明の実施形態５を図６に基づいて説明する。本実施形態５では、予め、遠隔のユーザー側に、図６（Ａ）に示すような、前記ミュージカル劇場などの映像を受け取るための専用のコンピュータ端末を、配っておく。図６（Ａ）はこのコンピュータ端末を示す図で、３２は表示装置、３３は偏光子、３４はねじれネマティック液晶板、３５は前記表示装置３２に表示される目的画面（ミュージカルなどの映像）とダミー映像とに切り換えのタイミングに基づいて前記液晶板３４を制御するための制御手段、３６はユーザーの両眼の位置に左右同一の偏光板を備えた偏光メガネである。この偏光メガネ３６も前記劇場側が独自の仕様で製造したもので、予め、会員登録した遠隔のユーザーのみに配付しておくものである。
【００２４】
次に、図６（Ｂ）に基づいて、この実施形態５の動作を説明する。本実施形態においても、前記実施形態４と同様に、劇場側は、開演前の決められた時間に、予め、ミュージカルなどの目的映像とダミー映像との切り換えにタイミングを示すデータを、遠隔ユーザーのコンピュータ端末側に送信しておく、そして、遠隔ユーザー側では、このタイミング・データを、コンピュータ端末の前記制御手段３５に記録しておく。
【００２５】
ミュージカルが開演されると、前記表示装置３２には、図６（Ｂ）の（ａ）に示すように、所定のタイミングで、交互に、ユーザーが見ようとする目的映像（ミュージカルなどの映像）とダミー映像とが、表示される。この目的映像とダミー映像との切り換えは、劇場側のシステムで、独自のタイミングで行われる。前記制御手段３５は、この映像の切り換えのタイミングに基づいて、前記ねじれネマティック液晶板３４の性質を切換える。すなわち、前記ねじれネマティック液晶板３４は、印加される電圧値の変化に伴い、光の素通しと９０゜回転との２つの性質に切り換えられる。この液晶板３４の性質の切り換えは、図６（Ｂ）の（ｃ）に示すように、前記制御手段により、前記映像の切り換えと連動して、行われる。
【００２６】
以上により、図６（Ｂ）に示すように、前記表示装置３２に目的映像が表示されているときは、その目的映像は、前記液晶板３４を介して、第１の偏光のまま、偏光メガネ３６の偏光板３６ａを通過してユーザーに届く。他方、前記表示装置３２にダミー映像が表示されているときは、そのダミー映像は、前記液晶板３４により、第２の偏光に変更されてユーザーの方向に送られ、偏光メガネ３６の偏光板３６ａで遮断されるので、結局、ユーザーの目には届かない。
【００２７】
したがって、目の残像現象により、前記偏光メガネ３６を掛けたユーザーは、目的映像のみが自然に見えることになる。他方、前記偏光メガネ３６を掛けない他人（家族や友人など）は、前記表示装置３２を見ても、前記目的映像とダミー映像とが混然とした意味不明の画面が見えるだけとなる。したがって、本実施形態によれば、前記の偏光メガネ３６を掛けた遠隔ユーザーのみがミュージカルなどの映像を鑑賞できることになる。よって、「座席一人分の料金」を支払うことによって遠隔から鑑賞できるユーザーは「一人のみ」となり、遠隔から利用することにより「一人分の座席料金で複数人が利用する」という不公正を防ぐことが可能になる。
【００２８】
なお、以上の各実施形態では、いずれも、ミュージカル専用の劇場などからミュージカルなどの映像データをリアルタイムに送信する場合を示したが、本発明はこれに限られるものではない。例えば、遠隔のユーザーに映像データを「送信」する方法のみでなく、インターネット上に前記劇場などがホームページを開設し、そのホームページに遠隔ユーザー側が「閲覧ソフトウェア（ブラウザ）」などを使用して「アクセスして映像データを取り込む」方法によっても、リアルタイムにミュージカルなどを遠隔から鑑賞することが可能である。なお、この「アクセスして映像データを取り込む方法」についても、本発明においては、「映像を届ける」「映像データの送信」又は「映像データの伝送」という用語に含めて説明している場合がある。
【００２９】
また、以上の各実施形態では、いずれも、ミュージカル専用の劇場などからミュージカルなどの映像データをリアルタイムに送信する場合を示したが、本発明はこれに限られるものではなく、例えば、遊園地やテーマパークなどで座席が限定されている場合についても、同様に利用することができる。
【００３０】
【発明の効果】
１．イベント会場の限定された座席を利用して鑑賞する権利を予約又は購入した遠隔ユーザーに対して、この予約又は購入された座席の上に備えられたカメラを、前記イベントが開始される開始時刻と同時に又はその少し前から、駆動させて映像をリアルタイムに送るようにしたので、遠隔のユーザーは、わざわざ遠隔の劇場などに足を運ばなくても、容易に鑑賞することが可能になる。しかも、その座席から見える映像を送るので、遠隔ユーザーにとって臨場感が得られると共に、実際に会場まで足を運んでくる観客とほとんど同一の条件で利用できるので、実際に会場まで来る観客と遠隔のユーザーとの間に不公平がなくなる。そして、遠隔のユーザーを、実際に会場まで足を運んで来る観客とほとんど同一に扱うことが可能になる。
【００３１】
２．遊園地やテーマパークなどの限定された座席を利用して鑑賞する権利を購入した遠隔ユーザーに対して、この購入された座席の上に備えられたカメラを、前記利用開始時刻と同時に又はその少し前から、駆動させて映像をリアルタイムに送るようにしたので、遠隔のユーザーは、わざわざ遠隔の遊園地やテーマパークなどに足を運ばなくても、容易に楽しむことが可能になる。しかも、その座席から見える映像を送るので、遠隔ユーザーにとって臨場感が得られると共に、実際に遊園地などに足を運んでくる客とほとんど同一の条件で利用できるので、実際に遊園地などに来る客と遠隔のユーザーとの間に不公平がなくなる。そして、遠隔のユーザーを、実際に遊園地などに足を運んで来る客とほとんど同一に扱うことが可能になる。
【００３２】
３．さらに、前記カメラを、前記座席に通常人が座った場合の目の高さとほぼ同一の高さに配置したときは、遠隔ユーザーは、実際にその座席に座ったのと同様の、より臨場感と現実味のある映像を得られるようになる。
【００３３】
４．さらに、前記座席の上に配置されたスピーカであって、遠隔のユーザーからの音声を出力できるスピーカを、前記開始時刻と同時に又はその少し前から、駆動させるようにしたときは、遠隔のユーザーも、例えば、自らの歓声や拍手などの音を出力することにより、自ら、積極的に、そのイベントや遊園地などにリアルタイムに「参加」することができるようになり、遠隔のユーザーの満足が一層高められるようになる。
【００３４】
５．さらに、前記座席の上に配置された表示装置であって、遠隔のユーザーからの映像を出力できる表示装置を、前記開始時刻と同時に又はその少し前から、駆動させるようにしたときは、遠隔のユーザーも、例えば、自らの顔や全体の動きなどをそこに表示させることにより、自ら、積極的に、そのイベントなどにリアルタイムに「参加」することができるようになり、遠隔のユーザーの満足が一層高められるようになる。
【００３５】
６．さらに、個々の遠隔のユーザーについて、前記スピーカ又は表示装置の利用を許可するかどうかを判定するようにし、不適切な行動を取る可能性のある遠隔のユーザーには、前記のスピーカーや表示装置は使用させないようにしたときは、不適切な行動により、ミュージカルなどのイベントや遊園地の秩序が害されることが防止されるようになる。
【００３６】
７．さらに、前記カメラが撮像した映像をリアルタイムにユーザー側に送る場合に、前記座席の申込みをしたそのユーザーにのみ見られるようにしたときは、「座席一人分のみの料金」しか支払っていないのに、遠隔のユーザーの近くにいる複数人がその映像を見てしまうという不公正を防げるようになる。
【図面の簡単な説明】
【図１】  本発明の実施形態１を説明するための斜視図である。
【図２】  本実施形態１の動作を説明するためのフローチャートである。
【図３】  本発明の実施形態３を説明するための斜視図である。
【図４】  本発明の実施形態４を説明するための図である。
【図５】  本実施形態４を説明するためのフローチャートである。
【図６】  本発明の実施形態５を説明するための図である。
【符号の説明】
１，２，１１，１２  座席
３  ロボット
４ａ，４ｂ，１４ａ，１４ｂ  カメラ
５ａ，５ｂ，１５ａ，１５ｂ  マイク（マイクロホン）
６，１６，２２  ディスプレー
７，１７  スピーカ
８ａ，８ｂ  ハンド部
１１ａ，１２ａ  頭部保持部
２６  液晶シャッタ付きメガネ
２６ａ  液晶シャッタ
３２  表示装置
３３  偏光子
３４  ねじれネマティック液晶板
３５  制御手段
３６  偏光メガネ
３６ａ  偏光板
【図１】
0003991076.tif 000002
【図２】
0003991076.tif 000003
【図３】
0003991076.tif 000004
【図４】
0003991076.tif 000005
【図５】
0003991076.tif 000006
【図６】
0003991076.tif 000007